(57)【要約】【課題】本発明は向上された電力効率と視感特性及びコントラストを有するプラズマディスプレイパネルを提供する。【解決手段】本発明によるプラズマディスプレイパネルは、第１基板と第１基板と対向される第２基板を含む。複数の隔壁は第２基板と対向される第１基板の一側上に形成されて複数の放電セルを設定する。複数の維持電極と複数の走査電極は第１基板に対向される第２基板の一側上に伸びて、複数の維持電極及び複数の走査電極各々はバス電極を有する。複数の走査電極のうち一つは複数の維持電極のうち対応する維持電極と共に放電ギャップを形成し、複数の維持電極のうち一つは複数の放電セルの間の隣接する二つの行の放電セルに対応しながら、複数の走査電極のうち一つのバス電極は放電ギャップと隣接する。【選択図】図１
2010062131.tif 000002
【特許請求の範囲】
【請求項１】
第１基板と、
前記第１基板と対向する第２基板と、
前記第２基板と対向される前記第１基板の一側上に形成されて複数の放電セルを設定する複数の隔壁と、
前記第１基板と対向される前記第２基板の一側上に伸びる複数の維持電極と複数の走査電極を含み、
前記複数の維持電極と前記複数の走査電極は各々バス電極を有し、前記複数の走査電極のうち一つは前記複数の維持電極のうち対応する一つと放電ギャップを形成し、
前記複数の維持電極のうち一つは前記複数の放電セルの間において隣接する二つの行の放電セルと対応し、
前記複数の走査電極のうち一つの前記バス電極は前記放電ギャップと隣接されることを特徴とするプラズマディスプレイパネル。
【請求項２】
前記複数の走査電極のうち第１走査電極は前記隣接する二つの行の放電セルのうち第１行目の放電セルに対応し、
前記第１走査電極の前記バス電極は前記第１行目の放電セルの放電領域にオーバーラップされることを特徴とする請求項１に記載のプラズマディスプレイパネル。
【請求項３】
前記複数の走査電極のうち第２走査電極は前記隣接する二つの行の放電セルのうち第２行目の放電セルに対応し、
前記第２走査電極の前記バス電極は前記第２行目の放電セルの放電領域にオーバーラップされることを特徴とする請求項２に記載のプラズマディスプレイパネル。
【請求項４】
前記第１基板に対向される前記第２基板上に伸びて、前記複数の走査電極及び前記維持電極と平行する複数のブラックストライプをさらに含み、
前記第１走査電極、前記第２走査電極及び前記複数の維持電極のうち一つは前記複数のブラックストライプのうち２つが対応するブラックストライプの間で平行に伸びることを特徴とする請求項３に記載のプラズマディスプレイパネル。
【請求項５】
前記複数のブラックストライプは電導性物質を含むことを特徴とする請求項４に記載のプラズマディスプレイパネル。
【請求項６】
前記電導性物質はＣｒ−Ｃｕ−Ｃｒ及びＡｇを含むグループから選択される物質を含むことを特徴とする請求項５に記載のプラズマディスプレイパネル。
【請求項７】
前記複数のブラックストライプ各々は前記複数の隔壁のうち対応する隔壁にオーバーラップされることを特徴とする請求項４に記載のプラズマディスプレイパネル。
【請求項８】
前記複数のブラックストライプと前記複数の走査電極の前記バス電極は前記複数の走査電極と共に複数の放電ギャップを形成する前記複数の維持電極のうち対応する維持電極の前記バス電極に対して対称的に配置されることを特徴とする請求項４に記載のプラズマディスプレイパネル。
【請求項９】
前記複数のブラックストライプ、前記複数の走査電極の前記バス電極及び前記複数の維持電極の前記バス電極は均等に互いに離隔されることを特徴とする請求項４に記載のプラズマディスプレイパネル。
【請求項１０】
第１基板と、
前記第１基板と対向される第２基板と、
前記第２基板と対向される前記第１基板の一側上に形成されて複数の放電セルを設定する複数の隔壁と、
前記第１基板と対向される前記第２基板の一側上に伸びるブラックストライプ、第１電極及び第２電極を含み、
前記第１電極と前記第２電極は各々バス電極を有して、前記第１電極のうち一つは前記第２電極の中２つが対応する第２電極と共に放電ギャップを形成し、
前記ブラックストライプと前記２つの対応する第２電極の前記バス電極は前記２つが対応する第２電極と共に前記複数の放電ギャップを形成する前記第１電極のうち一つの前記バス電極に対して対称的に配置されることを特徴とするプラズマディスプレイパネル。
【請求項１１】
前記ブラックストライプ、前記第１電極の前記バス電極及び前記第２電極の前記バス電極は均等に互いに離隔されることを特徴とする請求項１０に記載のプラズマディスプレイパネル。
【請求項１２】
前記ブラックストライプ各々は前記複数の隔壁のうち対応する隔壁とオーバーラップされることを特徴とする請求項１０に記載のプラズマディスプレイパネル。
【請求項１３】
前記第１電極各々は前記複数の放電セルのうち隣接する二つの行に対応し、
前記第２電極各々は前記複数の放電セルのうち一つの行に対応されることを特徴とする請求項１０に記載のプラズマディスプレイパネル。
【請求項１４】
前記第１電極のうち一つと前記第２電極の中２つは前記複数のブラックストライプのうち２つが対応するブラックストライプの間に伸びることを特徴とする請求項１０に記載のプラズマディスプレイパネル。
【請求項１５】
前記第１電極のうち一つは前記第２電極の中２つの間に伸びることを特徴とする請求項１４に記載のプラズマディスプレイパネル。
【請求項１６】
前記第１電極の前記バス電極各々は前記複数の隔壁のうちの対応する隔壁にオーバーラップされることを特徴とする請求項１０に記載のプラズマディスプレイパネル。
【請求項１７】
前記第２電極の前記バス電極各々は前記複数の隔壁のうち２つが対応する複数の隔壁の間の放電領域にオーバーラップされることを特徴とする請求項１０に記載のプラズマディスプレイパネル。
【請求項１８】
前記第１電極のうちの一つは前記第２電極の中２つと放電を行うように配置されることを特徴とする請求項１０に記載のプラズマディスプレイパネル。
【請求項１９】
前記第２電極の中前記２つは前記第１電極のうち一つの反対側上に形成されることを特徴とする請求項１８に記載のプラズマディスプレイパネル。
【請求項２０】
シャーシーベースと、
走査信号を印加しシャーシーベースの第１面に形成される走査ドライバーと、
維持信号を印加し前記シャーシーベースの前記第１面に形成される維持ドライバーと、
前記シャーシーベースの第２面に形成されるプラズマディスプレイパネルを含み、
前記プラズマディスプレイパネルは、
第１基板と、
前記第１基板と対向される第２基板と、
前記第２基板と対向される前記第１基板の一側上に形成されて複数の放電セルを設定する複数の隔壁と、
前記第１基板と対向される前記第２基板の一側上に伸びる複数の維持電極及び複数の走査電極を含み、
前記複数の維持電極と前記複数の走査電極は各々バス電極を含み、前記複数の走査電極のうち一つは前記複数の維持電極のうち対応する維持電極と共に放電ギャップを形成し、前記複数の走査電極は前記走査信号を受けるように形成され、前記複数の維持電極は前記維持信号を受けるように形成され、
前記複数の維持電極のうち一つの維持電極は前記複数の放電セルの間の隣接する二つの行の放電セルに対応し、
前記複数の走査電極のうち前記一つのバス電極は前記放電ギャップと隣接されることを特徴とするプラズマディスプレイ装置。
【請求項２１】
前記複数の走査電極のうち前記第１走査電極は前記隣接する二つの行の放電セルのうち第１行目の放電セルに対応し、
前記第１走査電極の前記バス電極は前記第１行目の放電セルの放電領域にオーバーラップされることを特徴とする請求項２０に記載のプラズマディスプレイ装置。
【請求項２２】
前記複数の走査電極のうち前記第２走査電極は前記隣接する二つの行の放電セルのうち第２行目の放電セルに対応し、
前記第２走査電極の前記バス電極は前記第２行目の放電セルの放電領域にオーバーラップされることを特徴とする請求項２１に記載のプラズマディスプレイ装置。
【請求項２３】
前記プラズマディスプレイパネルは前記第１基板と対向される前記第２基板の一側上に伸びて、前記複数の走査電極及び前記複数の維持電極と平行する複数のブラックストライプをさらに含み、
前記第１走査電極、前記第２走査電極及び前記維持電極は前記複数のブラックストライプのうち２つが対応するブラックストライプの間で平行に伸びることを特徴とする請求項２２に記載のプラズマディスプレイ装置。
【請求項２４】
前記複数のブラックストライプは電導性物質を含むことを特徴とする請求項２３に記載のプラズマディスプレイ装置。
【請求項２５】
前記電導性物質はＣｒ−Ｃｕ−Ｃｒ及びＡｇを含むグループから選択される物質を含むことを特徴とする請求項２４に記載のプラズマディスプレイ装置。
【請求項２６】
前記複数のブラックストライプは各々前記複数の隔壁のうち対応する隔壁にオーバーラップされることを特徴とする請求項２３に記載のプラズマディスプレイ装置。
【発明の詳細な説明】
【技術分野】
【０００１】
本発明はプラズマディスプレイパネル（ＰＤＰ）に関し、より詳しくは向上した電力効率、視感特性及びコントラストを有するＰＤＰに関する。
【背景技術】
【０００２】
ＰＤＰはＰＤＰの放電セルの中で気体放電を通して映像を表示するディスプレイ素子である。つまり、気体放電は放電セルの中でプラズマを発生させ、プラズマは真空紫外線（ＶＵＶ：Ｖａｃｕｕｍ  Ｕｌｔｒａ  Ｖｉｏｌｅｔ）を放射し、真空紫外線は放電セルの中で蛍光体を励起させる。蛍光体は励起された状態で安定化されながら赤色（Ｒ）、緑色（Ｇ）及び青色（Ｂ）の可視光を発生する。
【０００３】
例えば、交流型（ＡＣ）ＰＤＰは背面基板と前面基板との間に隔壁を備えることによって形成される複数の放電セルを有する。複数のアドレス電極は放電セルに対応するように背面基板に備えられ、複数の表示電極（例えば、維持電極及び走査電極）は複数のアドレス電極に対向される前面基板の一側に形成される。複数の維持電極及び複数の走査電極は透明電極と不透明のバス電極で各々形成される。
【０００４】
放電セルは複数の表示電極と複数の隔壁によって形成できる。例えば、ＰＤＰが四角隔壁構造で構成されると、四角放電セルは複数の縦隔壁部材と縦隔壁部材が交差する複数の横隔壁部材の交差境界に形成される。四角隔壁構造において、複数の表示電極は四角放電セルの複数の放電空間とオーバーラップされる。従って、広い放電空間が確保され、これによって１放電当り高い輝度出力と大きい放電マージンを誘導できるが、複数の表示電極のバス電極によってＰＤＰの開口率を減らして放電によって発生される可視光の利用効率を低下させる。放電空間が広い場合、使用時間が増加すると放電時間遅延は増加しなければならない。
【０００５】
他の例としては、二重隔壁構造を有するＰＤＰにおいて、横隔壁部材は二重で形成されて放電セルの間に一方向に非放電空間を形成する。二重隔壁構造において複数の表示電極は複数の隔壁とオーバーラップされて設けられる。つまり、複数の表示電極のバス電極は複数の隔壁にオーバーラップ配置される。従って、ＰＤＰの開口率が増加するが放電空間が減少して、二重隔壁構造はもっと小さい放電マージン、放電時間遅延の増加、及び１放電当り低輝度出力を誘導する。
【０００６】
一般に、輝度効率に対して、フールホワイト（Ｆｕｌｌ  Ｗｈｉｔｅ）映像のように大きな放電ロードを有するＰＤＰの領域において二重隔壁構造は四角隔壁構造より有利であるが、動画条件の、例えば、１０〜３０％ロードでは二重隔壁構造は四角隔壁構造より不利である。これは同じ輝度を出すために、二重隔壁構造における維持パルスの個数は四角隔壁構造の維持パルスの個数より多いべきであり、これによって消費電力が増加されるためである。
【発明の概要】
【発明が解決しようとする課題】
【０００７】
本発明の第１の目的は、無効消費電力を減らすことによって向上した効率を有するプラズマディスプレイパネルを提供することである。
【０００８】
本発明の第２の目的は、プラズマディスプレイパネルのブラックストライプを対称的に配置することによって向上した視感特性及びコントラストを有するプラズマディスプレイパネルを提供することである。
【課題を解決するための手段】
【０００９】
本発明の第１実施形態によると、プラズマディスプレイパネルは、第１基板と、前記第１基板と対向される第２基板と、前記第２基板と対向される前記第１基板の一側上に形成されて複数の放電セルを設定する複数の隔壁と、前記第１基板と対向される前記第２基板の一側上に伸びる複数の維持電極と複数の走査電極と、を含む。前記複数の維持電極と前記複数の走査電極は各々バス電極を有する。前記複数の走査電極のうち一つは前記複数の維持電極のうち対応する一つと放電ギャップを形成する。前記複数の維持電極のうち一つは前記複数の放電セルの間において隣接する二つの行の放電セルに対応し、前記複数の走査電極の一つの前記バス電極は前記放電ギャップと隣接される。
【００１０】
前記複数の走査電極のうち第１走査電極は、前記隣接する二つの行の放電セルのうち第１行目の放電セルに対応でき、前記第１走査電極の前記バス電極は前記第１行目の放電セルの放電領域にオーバーラップされてもよい。
【００１１】
前記複数の走査電極のうち第２走査電極は、前記隣接する二つの行の放電セルのうち第２行目の放電セルに対応でき、前記第２走査電極の前記バス電極は前記第２行目の放電セルの放電領域にオーバーラップしてもよい。
【００１２】
前記プラズマディスプレイパネルは、前記第１基板に対向する前記第２基板上に伸びて、前記複数の走査電極及び前記維持電極と略平行する複数のブラックストライプをさらに含むことができる。前記第１走査電極、前記第２走査電極及び前記複数の維持電極のうち一つは前記複数のブラックストライプのうち２つの対応するブラックストライプの間で略平行に伸びることができる。
【００１３】
前記複数のブラックストライプは電導性物質を含むことができる。
【００１４】
前記電導性物質はＣｒ−Ｃｕ−Ｃｒ及びＡｇを含むグループから選択される物質を含むことができる。
【００１５】
前記複数のブラックストライプは各々前記複数の隔壁のうち対応する隔壁にオーバーラップしてもよい。
【００１６】
前記複数のブラックストライプと前記複数の走査電極の前記バス電極は、前記複数の走査電極と共に複数の放電ギャップを形成する前記複数の維持電極のうち対応する維持電極の前記バス電極に対して対称的に配置される。
【００１７】
前記複数のブラックストライプ、前記複数の走査電極の前記バス電極及び前記複数の維持電極の前記バス電極は略均等に互いに離隔できる。
【００１８】
本発明の第２実施形態によると、プラズマディスプレイパネルは第１基板と、前記第１基板と対向する第２基板と、前記第２基板と対向される前記第１基板の一側上に形成されて複数の放電セルを設定する複数の隔壁と、前記第１基板と対向される前記第２基板の一側上に伸びるブラックストライプと、第１電極及び第２電極と、を含む。前記第１電極と前記第２電極は各々バス電極を有する。前記第１電極のうち一つは前記第２電極の中２つの対応する第２電極と共に放電ギャップを形成する。前記ブラックストライプと前記２つの対応する第２電極の前記バス電極は前記２つの対応する第２電極と共に前記複数の放電ギャップを形成する前記第１電極のうち一つの前記バス電極に対して対称的に配置される。
【００１９】
前記ブラックストライプ、前記第１電極の前記バス電極及び前記第２電極の前記バス電極は略均等に互いに離隔できる。
【００２０】
前記ブラックストライプ各々は、前記複数の隔壁のうち対応する隔壁とオーバーラップしてもよい。
【００２１】
前記第１電極は各々前記複数の放電セルのうち隣接する二つの行に対応でき、前記各々の第２電極は前記複数の放電セルのうち一行目に対応できる。
【００２２】
前記第１電極のうち一つと前記第２電極の中２つは前記複数のブラックストライプのうち２つの対応するブラックストライプの間に伸びることができる。
【００２３】
前記第１電極のうち一つは前記第２電極の中２つの間に伸びることができる。
【００２４】
前記第１電極の前記各々のバス電極は前記複数の隔壁のうち対応する隔壁にオーバーラップしてもよい。
【００２５】
前記第２電極の前記各々のバス電極は前記複数の隔壁のうち２つの対応する複数の隔壁の間の放電領域にオーバーラップしてもよい。
【００２６】
前記第１電極のうち一つは前記第２電極中の２つと放電を行うように配置される。
【００２７】
前記第２電極の中前記２つは前記第１電極のうち一つの反対側の上に配置できる。
【００２８】
本発明の第１実施形態によると、プラズマディスプレイ装置はシャーシーベースと、走査信号を印加してシャーシーベースの第１面に備えられる走査ドライバーと、維持信号を印加し前記シャーシーベースの前記第１面に備えられる維持ドライバーと、前記シャーシーベースの第２面に備えられるプラズマディスプレイパネルと、を含む。前記プラズマディスプレイパネルは、第１基板と、前記第１基板と対向される第２基板と、前記第２基板と対向される前記第１基板の一側の上に形成されて複数の放電セルを設定する複数の隔壁と、前記第１基板と対向される前記第２基板の一側上に伸びる複数の維持電極及び複数の走査電極と、を含む。前記複数の維持電極と前記複数の走査電極は各々バス電極を含む。前記複数の走査電極のうち一つは前記複数の維持電極のうち対応する維持電極と共に放電ギャップを形成する。前記複数の走査電極は前記走査信号を受けるように形成され、前記複数の維持電極は前記維持信号を受けるように形成される。前記複数の維持電極のうち一つの維持電極は前記複数の放電セルの間の隣接する二つの行の放電セルに対応し、前記複数の走査電極のうち一つの前記バス電極は前記放電ギャップと隣接される。
【００２９】
前記複数の走査電極のうち前記第１走査電極は前記隣接する二つの行の放電セルのうち第１行目の放電セルに対応でき、前記第１走査電極の前記バス電極は前記第１行目の放電セルの放電領域にオーバーラップしてもよい。
【００３０】
前記複数の走査電極のうち前記第２走査電極は前記隣接する二つの行の放電セルのうち第２行目の放電セルに対応でき、前記第２走査電極の前記バス電極は前記第２行目の放電セルの放電領域にオーバーラップされてもよい。
【００３１】
前記プラズマディスプレイパネルは、前記第１基板と対向する前記第２基板の一側上に伸びて、前記複数の走査電極及び前記複数の維持電極と実質的に平行する複数のブラックストライプをさらに含むことができる。前記第１走査電極、前記第２走査電極及び前記維持電極は前記複数のブラックストライプのうち２つの対応するブラックストライプの間で平行に伸びることができる。
【００３２】
前記複数のブラックストライプは電導性物質を含むことができる。
【００３３】
前記電導性物質はＣｒ−Ｃｕ−Ｃｒ及びＡｇを含むグループから選択される物質を含むことができる。
【００３４】
前記複数のブラックストライプは各々前記複数の隔壁のうち対応する隔壁にオーバーラップしてもよい。
【発明の効果】
【００３５】
このように本発明の第１実施形態によると、四角隔壁構造において一方向に隣接する一対の放電セルに対して、走査電極、維持電極、維持電極及び走査電極を配置するため、一対の放電セルの間で静電容量が低減されて無効消費電力が低減される。従って、効率が向上される。
【００３６】
四角隔壁構造において、ｙ軸方向に隣接する一対の放電セルに対して中央隔壁部材に維持電極のバス電極を配置し、維持電極のバス電極を中心として走査電極のバス電極を一対放電セルの各中央に配置し、電導性ブラックストライプを外側の隔壁部材に各々配置することによって放電空間が確保されるため、輝度が向上し、放電マージンが大きくなって使用時間による放電遅延が増加せず、またブラックストライプ、つまりバス電極及び電導性ブラックストライプが対称配置されるため視感特性及びコントラストが向上する。
【図面の簡単な説明】
【００３７】
【図１】本発明の第１実施形態によるプラズマディスプレイパネル（ＰＤＰ）の分解斜視状態を示した概念図である。
【図２】図１のＩＩ−ＩＩ線に沿って切断したＰＤＰの断面状態を示した概念図である。
【図３】図１におけるＰＤＰの複数の隔壁と複数の表示電極の配置関係を示した平面状態を示した概念図である。
【図４】多様な電極配置による無効消費電力比率を示したグラフである。
【図５】使用時間による多様な電極配置のアドレス電圧を示したグラフである。
【図６】使用時間による多様な電極配置のアドレス放電遅延を示したグラフである。
【図７】本発明の第１実施形態によるプラズマディスプレイ装置の分解斜視状態を示した概念図である。
【発明を実施するための形態】
【００３８】
以下、添付図を参照して本発明の実施形態について本発明が属する技術分野において通常の知識を有する者が容易に実施できるように詳しく説明する。しかし、本発明は多様な形態に具現でき、ここで説明する実施形態に限られない。図面で本発明を明確に説明するために説明上不要な部分は省略し、明細書全体にわたって同じまたは類似する構成要素については同じ参照符号を付けた。
【００３９】
図１は本発明の第１実施形態によるプラズマディスプレイパネル（ＰＤＰ）の分解斜視状態を示した概念図であり、図２は図１のＩＩ−ＩＩ線に沿って切断してＰＤＰの断面状態を示した概念図である。
【００４０】
図１及び図２を参照すると、第１実施形態によるＰＤＰ１は背面基板１０と、背面基板１０と、間隔を維持しながら対向される前面基板２０及び背面基板１０と、前面基板２０の間に配置される複数の隔壁３０と、を含む。
【００４１】
隔壁３０は背面基板１０と前面基板２０との間の空間を区画することによって複数の放電セル１７を形成する。各々の放電セル１７は蛍光体層１９を含み、放電ガスとしては、例えば、ネオン（Ｎｅ）とキセノン（Ｘｅ）の混合物を含むガスで充てんされる。
【００４２】
放電セル１７内において、放電ガスは励起されて気体放電を起こして真空紫外線を発生させ、放電セル１７内において蛍光体層１９は真空紫外線によって励起され、安定しつつ赤色（Ｒ）、緑色（Ｇ）及び／または青色（Ｂ）の可視光を放出する。気体放電を起こすために、複数のアドレス電極１１と複数の表示電極４０は放電セル１７内においてガス放電を起こすように放電電圧を印加する。
【００４３】
図１に示したように、複数のアドレス電極１１は背面基板１０の内表面にｙ軸方向に沿って伸長形成され、各々の複数のアドレス電極１１はｙ軸方向に放電セル１７の行に対応する。複数のアドレス電極１１は互いに平行に伸びて、各々放電セル１７の行に対応しながら、行はｘ軸方向と隣接される。
【００４４】
第１誘電層１３は背面基板１０の内表面と複数のアドレス電極１１を覆う。第１誘電層１３は放電時に陽イオンまたは電子が複数のアドレス電極１１に直接衝突されることを防ぎ、気体放電から複数のアドレス電極１１を保護する。また第１誘電層１３は壁電荷形成及び蓄積できる空間を提供して、適切に低電圧によるアドレス放電を可能にする。
【００４５】
複数のアドレス電極１１は背面基板１０に配置されるため、前面基板２０を通過した可視光の透過を邪魔しない。従って、複数のアドレス電極１１は不透明な電極、つまり、優れた通電性を有する銀（Ａｇ）電極のような金属電極で形成できる。
【００４６】
隔壁３０は背面基板１０の第１誘電層１３上に配置されて、基板１０、２０の間に空間を区画して放電セル１７を形成する。例えば、隔壁３０はｙ軸方向に伸張形成される第１隔壁部材３１と、ｘ軸方向に伸張形成される第２隔壁部材３２を含み、さらに第２隔壁部材３２は第１隔壁部材３１の間でｙ軸方向に沿って間隔をおいて互いに離隔配置され、第１隔壁部材３１と交差する。
【００４７】
つまり、第１隔壁部材３１はｘ軸方向に互いに隣接される放電セル１７の境界を区画し、第２隔壁部材３２はｙ軸方向に互いに隣接される放電セル１７の境界を区画する。従って、四角隔壁構造において放電セル１７はマトリックス（ｍａｔｒｉｘ）構造を有する。
【００４８】
例えば、蛍光体層１９は第１隔壁部材３１の側壁と第２隔壁部材３２の側壁、そして第１隔壁部材３１と第２隔壁部材３２に囲まれた第１誘電層１３の表面に蛍光体ペーストを塗布することによって形成される。また、塗布された蛍光体層１９は乾燥及び焼成される。
【００４９】
第１実施形態において、ｙ軸方向に伸びる放電セル１７の行に形成される蛍光体層１９は同色の可視光を発生させる蛍光体で形成される。また、ｘ軸方向において放電セル１７の行に形成される蛍光体層１９は赤色（Ｒ）、緑色（Ｇ）及び青色（Ｂ）の可視光を発生させる蛍光体で形成される。例えば、赤色（Ｒ）、緑色（Ｇ）及び青色（Ｂ）の可視光を発生させる蛍光体で形成される蛍光体層１９は、ｘ軸方向に沿って繰返されるＲ、Ｇ及びＢパターンを有することができる。
【００５０】
表示電極４０は維持電極４１及び走査電極４２を含む。維持電極４１と走査電極４２は放電セル１７に対応するように前面基板２０の内表面上に形成される。維持電極４１と走査電極４２は各々の放電セル１７において気体放電を起こせるように放電セル１７に対応される面放電構造を形成し、駆動電圧は複数の維持電極４１と複数の走査電極４２に印加されて、放電セル１７からガス放電を誘導する。
【００５１】
図３は図１におけるＰＤＰの複数の隔壁と複数の表示電極の配置関係を示した平面状態を示した概念図である。図３を参照すると、複数の維持電極４１及び複数の走査電極４２は、ｘ軸に沿って互いに平行に伸びて、複数のアドレス電極１１と交差される（図１及び図２に図示）。複数の維持電極４１は各々放電を起こす透明電極４１ａと、透明電極４１ａに電圧信号を印加するバス電極４１ｂとを含む。複数の走査電極４２は各々放電を起こす透明電極４２ａと、透明電極４２ａに電圧信号を印加するバス電極４２ｂとを含む。
【００５２】
透明電極（４１ａ、４２ａ）は放電セル１７の中央を略オーバーラップして放電ギャップ（ＤＧ）を形成し、透明電極（４１ａ、４２ａ）は放電セル１７の十分な開口率を確保できるよう透明材（例えば、ＩＴＯ：Ｉｎｄｉｕｍ  Ｔｉｎ  Ｏｘｉｄｅ）で形成される。バス電極（４１ｂ、４２ｂ）は透明電極（４１ａ、４２ａ）の上に形成されて、各々透明電極（４１ａ、４２ａ）に電圧信号を印加し、十分に高い電気的な電導性を確保するために、例えば、金属材で形成される。
【００５３】
例えば、バス電極（４１ｂ、４２ｂ）はブラックレイヤー（図示せず）とホワイトレイヤー（図示せず）を含む２層構造で形成され、ブラックレイヤーは前面基板２０の外側から見られるように反対側前面基板２０の内表面に配置される。従って、前面基板２０の外側から見ると、バス電極（４１ｂ、４２ｂ）はブラックの部分が見られる。
【００５４】
以下、隔壁３０に対する維持電極４１及び走査電極４２の配置関係について説明する。また、第２隔壁部材３２に対する透明電極（４１ａ、４２ａ）及びバス電極（４１ｂ、４２ｂ）の配置関係についても説明する。
【００５５】
複数の隔壁３０に対する複数の維持電極４１及び複数の走査電極４２の配置関係を見ると、放電セル１７はｙ軸方向に連結される対で配置され、各対はｙ軸方向に沿って繰り返し配置される。説明の便宜のため、ｙ軸方向に連結されて第１放電セル１１７と第２放電セル２１７を含む一対の放電セル１７のみ説明する。
【００５６】
複数の維持電極４１は連結される放電セル１７（例えば、第１放電セル１１７と第２放電セル２１７）と隣接される複数の対の間の中心に配置される第２隔壁部材３２にオーバーラップされて配置される。従って、第１放電セル１１７の維持電極４１と第２放電セル２１７の維持電極４１は互いに隣接される。
【００５７】
第１実施形態において、第１放電セル１１７と第２放電セル２１７の複数の維持電極４１は単一電極として連結及び／または形成できる。
【００５８】
第１放電セル１１７と第２放電セル２１７は他の複数の走査電極４２を提供され、他の複数の走査電極４２の間に配置される維持電極４１と相互作用することによって、第１放電セル１１７と第２放電セル２１７において放電を発生させる複数の走査電極４１及び複数の維持電極４２を提供する。
【００５９】
第１放電セル１１７と第２放電セル２１７において、電極は走査電極４２、維持電極４１、維持電極４１及び走査電極４２の順に配置され、中央に配置される２つの維持電極４１は互いに連結される。第１実施形態において、２つの維持電極４１は単一電極として形成される。同一電圧信号が印加される複数の維持電極４１は第１放電セル１１７と第２放電セル２１７との間の放電セル１７の側面に配置されるため、静電容量（または電気容量）が減少する。従って、無効消費電力が低減されると共に、効率が向上する。
【００６０】
維持電極４１と走査電極４２の配置について下記で具体的に説明する。複数の維持電極４１の透明電極４１ａは伸びて一対の連結された放電セル１７の間の第２隔壁部材３２にオーバーラップされる。例えば、第１放電セル１１７と第２放電セル２１７において、各々の透明電極４１ａは各々の第１、第２放電セル１１７、２１７の中心に向かう方向に電極幅（Ｗ４１１、Ｗ４１２）を有し、透明電極４１ａはｘ軸方向に伸張形成される。つまり、透明電極４１ａは第１放電セル１１７に対応される第１透明電極１４１ａと第２放電セル２１７に対応される第２透明電極２４１ａを含む。また、透明電極、つまり、第１、第２透明電極（１４１ａ、２４１ａ）は第１、第２放電セル１１７、２１７に各々対応される突出電極（図示せず）で形成できる。
【００６１】
第１、第２放電セル１１７、２１７において、複数の維持電極４１のバス電極４１ｂは第２隔壁部材３２にオーバーラップされるように透明電極４１ａ上に配置される。第２隔壁部材３２は第１、第２放電セル１１７、２１７の間に配置され、バス電極４１ｂはｘ軸方向に伸びる。バス電極４１ｂに印加される電圧信号は第１透明電極１４１ａと第２透明電極２４１ａに印加される。バス電極４１ｂが第２隔壁部材３２にオーバーラップされて配置されるため、放電セル１７の開口率及び輝度を減少させずにコントラストが向上できる。
【００６２】
第１、第２放電セル１１７、２１７に使用される複数の維持電極４１のバス電極４１ｂは互いに隣接したりまたは単一電極として形成されるため、広い線幅によって線抵抗が減少される。従って、維持パルスが複数の維持電極４１に印加されると、電圧降下が最少化または減少し、放電マージンが増大する。
【００６３】
複数の維持電極４１のバス電極４１ｂは複数の放電ギャップ（ＤＧ）から遠い所に位置される。バス電極４１ｂは第１放電セル１１７と第２放電セル２１７に対して、例えば、図３に示したように同じ幅（つまり、Ｗ４１１ｂ＝Ｗ４１２ｂ）を有することができ、または互いに異なる幅（つまり、Ｗ４１１ｂ≠Ｗ４１２ｂ）で形成できる（図示せず）。
【００６４】
複数の走査電極４２は第１放電セル１１７と第２放電セル２１７における各々の放電領域に配置され、先ず第１放電セル１１７について説明する。第１放電セル１１７の走査電極４２に対して、透明電極４２ａは維持電極４１の第１透明電極１４１ａとの間に放電ギャップ（ＤＧ）を形成するように第１透明電極１４１ａとｙ軸方向に離隔されて、第１放電セル１１７の放電領域の一部をオーバーラップして形成される。透明電極４２ａは維持電極４１の第１透明電極１４１ａの幅（Ｗ４１１）に対応する幅（Ｗ４２）を有し、ｘ軸方向に伸張形成される。第１実施形態において、走査電極４２の透明電極４２ａは第１、第２放電セル１１７、２１７（図示せず）に各々対応される突出電極で形成できる。
【００６５】
第１放電セル１１７の走査電極４２に対して、バス電極４２ｂは透明電極４２ａの一側に沿って伸びて、透明電極４２ａは放電ギャップ（ＤＧ）を形成すると共に略第１放電セル１１７の放電領域の中央部にオーバーラップされる。また、バス電極４２ｂはｘ軸方向に伸張形成される。バス電極４２ｂに印加される電圧信号は透明電極４２ａに印加される。バス電極４２ｂは第１放電セル１１７の放電領域の中央部にオーバーラップされるため、第１放電セル１１７の開口率及び輝度は低下される。しかし、第１放電セル１１７は第１隔壁部材３１と第２隔壁部材３２によって設定される四角隔壁構造を有するため、第１放電セル１１７は二重隔壁構造に比べて広い放電空間を有し、これによって１放電当り高い輝度を実現する。
【００６６】
第２放電セル２１７に対応される走査電極４２の透明電極４２ａは、維持電極４１の第２透明電極２４１ａとの間に放電ギャップ（ＤＧ）を形成するように第２透明電極２４１ａとｙ軸方向に離隔されて第２放電セル２１７の放電領域の一部にオーバーラップされる。透明電極４２ａは維持電極４１の第２透明電極２４１ａの幅（Ｗ４１２）に対応する幅（Ｗ４２）を有し、ｘ軸方向に伸張形成される。
【００６７】
走査電極４２のバス電極４２ｂは透明電極４２ａの一側に沿って伸びて、透明電極４２ａは放電ギャップ（ＤＧ）を形成すると共に、第２放電セル２１７の放電領域の略中央部にオーバーラップされる。また、バス電極４２ｂはｘ軸方向に伸張形成される。バス電極４２ｂに印加される電圧信号は透明電極４２ａに印加される。バス電極４２ｂは第２放電セル２１７の放電領域にオーバーラップされるため、第２放電セル２１７の開口率及び輝度は低下される。しかし、第２放電セル２１７は第１隔壁部材３１と第２隔壁部材３２による四角隔壁構造を有するため、第２放電セル２１７は二重隔壁構造に比べて広い放電空間を有し、これによって１放電当り高い輝度を実現する。
【００６８】
維持電極４１と異なって、各複数の走査電極４２は全体幅で放電セル１７に対応する放電領域をオーバーラップするため、アドレス電極１１は複数の走査電極４１との間に複数の放電経路を形成して低電圧によるアドレス放電ができ、これによってアドレス電圧マージンを増加できる。各複数の走査電極４２のバス電極４２ｂは放電ギャップ（ＤＧ）と隣接される透明電極４２ａの対応部の側面に沿って伸びるため、透明電極４２ａで電圧降下を最小化する。
【００６９】
つまり、複数の走査電極４２の全体幅は放電セル１７の放電領域をオーバーラップし、各バス電極４２ｂは放電ギャップ（ＤＧ）に対応して隣接される。従って、アドレス電圧が低くなって、ＰＤＰの長時間使用によって生じるアドレス放電遅延が防止されたり減少できる。従って、第１放電セル１１７と第２放電セル２１７に関して、複数の表示電極４０は走査電極４２、維持電極４１、維持電極４１及び走査電極４２の順に配置される。結果的に、この電極配置はｙ軸方向に互いに隣接する第１、第２放電セル１１７、２１７の間において静電容量を低減させる。また、無効消費電力が低減できる。第１隔壁部材３１及び第２隔壁部材３２は四角隔壁構造で形成されて、第１放電セル１１７と第２放電セル２１７のような放電セルにおいて広い放電空間を提供する。これによって１放電当り輝度が向上する。
【００７０】
また、電導性ブラックストライプ４３はｙ軸方向に連結される複数の放電セル１７の対、例えば、第１、第２放電セル１１７、２１７の外側壁を設定する第２隔壁部材３２に対応されるように前面基板２０の内表面に形成される。つまり、各電導性ブラックストライプ４３は対応する第２隔壁部材３２の幅に対応する幅を有してｘ軸方向に伸張形成されるため、放電セル１７の開口率及び輝度を邪魔せずに外光を吸収する。従って、コントラスト特性が向上する。また、電導性ブラックストライプ（図示せず）は維持電極４１のバス電極４１ｂ上にさらに形成できる。
【００７１】
また、電導性ブラックストライプ４３は電導性バス電極（４１ｂ、４２ｂ）を形成する工程と同じ工程で形成されるため、非電導性で形成する場合に比べると追加的な工程を要しない。それによって製造費用が節減される。
【００７２】
複数の走査電極４２の透明電極４２ａ各々の全体幅が第１、第２放電セル１１７、２１７のような対応する放電セル１７の放電領域を略オーバーラップするため、バス電極４２ｂは透明電極４２ａ上に配置され、電導性ブラックストライプ４３は第１、第２放電セル１１７、２１７のようなｙ軸方向に連結された放電セル対の外側壁を形成する第２隔壁部材３２をオーバーラップするように形成できる。
【００７３】
また、例えば、第１、第２放電セル１１７、２１７の対において、バス電極（４１ｂ、４２ｂ）及び電導性ブラックストライプ４３はブラックストライプである。複数の維持電極４１の各バス電極４１ｂはｙ軸で隣接する連結された放電セル１７の対応する対の間において第２隔壁部材３２をオーバーラップして伸びて、複数の走査電極４２のバス電極４２ｂと電導性ブラックストライプ４３は対応するバス電極４１ｂに対して対称配置され、これによって視感特性を向上させる。
【００７４】
図４は多様な電極配置による無効消費電力比を示したグラフである。図４を参照すると、本発明の実施形態、つまり、走査電極４２、維持電極４１、維持電極４１及び走査電極４２の配置順は実験例１と実験例２において四角隔壁構造に適用し、走査電極、維持電極、走査電極及び維持電極の配置順は比較例１と比較例２において四角隔壁構造に適用した。
【００７５】
実験例１及び２の無効消費電力比が略１の時、比較例１及び２の無効消費電力比は１．５以上である。従って、実験例の無効消費電力比が比較例に比べて約３０％低減される。無効消費電力が低減されることによって効率が向上する。
【００７６】
図５はＰＤＰの使用時間によるアドレス電圧を示したグラフである。図５を参照すると、使用時間が増加時に、比較例１及び２でアドレス電圧が増加するのに対して、実験例１及び２においてアドレス電圧が概して一定水準に維持される。
【００７７】
つまり、本発明の実施形態によると、使用時間が増加してもアドレス放電のためのアドレス電圧が大きく変化せず、アドレス放電に対する大きい放電マージンを得ることができる。
【００７８】
図６はＰＤＰの使用時間によるアドレス放電遅延を示したグラフである。図６を参照すると、使用時間増加時に比較例１及び２においてアドレス放電遅延は徐々に増加した後、急激に増加するのに対して、実験例１及び２においてはアドレス放電遅延は略一定水準に維持される。
【００７９】
再び図１乃至図２を参照すると、第２誘電層２１は前面基板２０の内表面と複数の維持電極４１と複数の走査電極４２及び電導性ブラックストライプ４３を覆う。第２誘電層２１は放電時に発生される陽イオンまたは及び電子から維持電極４１と走査電極４２を保護しながら、放電のための壁電荷の形成及び蓄積場所を提供する。
【００８０】
保護膜２３は第２誘電層２１を覆う。例えば、保護膜２３は保護膜２３を通して可視光を透過させる透明なＭｇＯで形成されて、放電時に発生される陽イオンまたは電子から第２誘電層２１を保護し、放電時に二次電子放出係数を増加させる。
【００８１】
例えば、プラズマディスプレイパネル１の駆動を説明すると、リセット期間では走査電極４２に印加されるリセットパルスによってリセット放電が起こる。リセット期間に続くスキャン期間では複数の走査電極４２に印加されるスキャンパルスと複数のアドレス電極１１に印加されるアドレスパルスによってアドレス放電が起こる。その後、維持期間では維持電極４１と走査電極４２に印加される維持パルスによって維持放電が起こる。
【００８２】
複数の維持電極４１と複数の走査電極４２は維持放電に必要な維持パルスを印加する電極の役割を果たす。複数の走査電極４２はリセットパルス及びスキャンパルスを印加する電極の役割を果たす。複数のアドレス電極１１はアドレスパルスを印加する電極の役割を果たす。
【００８３】
しかし、複数の維持電極４１、複数の走査電極４２及び複数のアドレス電極１１は各々に印加される電圧の波形によりその役割を変化させることができるため、本発明は電極の前記役割に限られない。
【００８４】
図７は本発明の第１実施形態によるプラズマディスプレイ装置の分解斜視状態を示した概念図である。
【００８５】
図７に示したように、本発明の第１実施形態によるプラズマディスプレイ装置は、プラズマディスプレイパネル（ＰＤＰ）１及び一面にＰＤＰ１を支持して他の一面に駆動回路ボード３を備えているシャーシーベース５を含む。
【００８６】
駆動回路ボード３は複数の維持電極４１と複数の走査電極４２各々に維持信号と走査信号を印加する維持ドライバー４１１と走査ドライバー４２１を含む。
【００８７】
シャーシーベース５はプレス物（ｐｒｅｓｓｅｄ  ｍａｔｅｒｉａｌ）で形成される。駆動回路ボード４１を設置する複数のボス７はシャーシーベース５の一側に提供される。  
【００８８】
さたに、補強部材９はｘ及び／またはｙ方向に鋼性を増加するため、シャーシーベース５に提供しても良い。
【００８９】
以上、本発明の望ましい実施形態について説明したが、本発明はこれに限定されるのではなく、特許請求の範囲と発明の詳細な説明及び添付図の範囲内で多様に変形して実施でき、これも本発明の範囲に属するのは当然である。
【符号の説明】
【００９０】
１  プラズマディスプレイパネル
１０  背面基板
１１  アドレス電極
１３、２１  誘電層
１７  放電セル
１９  蛍光体層
２０  前面基板
２３  保護膜
３０  隔壁
３１、３２  隔壁部材
４０  表示電極
４１  維持電極
４１ａ、４２ａ  透明電極
４１ｂ、４２ｂ  バス電極
４２  走査電極
４３  電導性ブラックストライプ
１１７、２１７  放電セル
１４１ａ、２４１ａ  透明電極
Ｗ４１１、Ｗ４１２、Ｗ４２  幅
ＤＧ  放電ギャップ
【図１】
2010062131.tif 000003
【図２】
2010062131.tif 000004
【図３】
2010062131.tif 000005
【図４】
2010062131.tif 000006
【図５】
2010062131.tif 000007
【図６】
2010062131.tif 000008
【図７】
2010062131.tif 000009